【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
複数の放射線検出素子が二次元状に配列されたセンサーパネルと、
前記センサーパネルが収納された筐体と、
前記筐体に加わる三軸の加速度を検出する検出部と、
前記検出部が検出する各軸ごとの加速度の経時的な変化を積算する積算部と、
前記積算部による前記各軸ごとの加速度の積算値を正規化する正規化処理部と、
前記正規化処理部により前記各軸ごとの正規化された数値を第一の閾値により分類し、当該各軸ごとの分類結果から前記筐体の衝撃箇所を判定する判定部とを備えることを特徴とする放射線画像撮影装置。
【請求項２】
前記積算部は、予め定められた一定期間分の加速度の経時的な変化を積算することを特徴とする請求項１記載の放射線画像撮影装置。
【請求項３】
前記正規化処理部により前記正規化された数値を分類するための前記第一の閾値は、前記各軸ごとに個別に定められていることを特徴とする請求項１又は２記載の放射線画像撮影装置。
【請求項４】
前記第一の閾値を0.41以下とすることを特徴とする請求項１から３のいずれか一項に記載の放射線画像撮影装置。
【請求項５】
前記第一の閾値を0.3以下とすることを特徴とする請求項４記載の放射線画像撮影装置。
【請求項６】
前記検出部が、放射線入射方向から見て前記筐体の中央部に配置されていることを特徴とする請求項１から５のいずれか一項に記載の放射線画像撮影装置。
【請求項７】
前記検出部が、前記放射線画像撮影装置の重心位置に配置されていることを特徴とする請求項１から５のいずれか一項に記載の放射線画像撮影装置。
【請求項８】
前記筐体の衝撃箇所ごとに、前記検出部の検出に基づく衝撃判定値を加算して累積する衝撃履歴部を備えることを特徴とする請求項１から７のいずれか一項に記載の放射線画像撮影装置。
【請求項９】
複数の放射線検出素子が二次元状に配列されたセンサーパネルと、
前記センサーパネルが収納された筐体と、
前記筐体に加わる衝撃を検出する検出部と、
前記検出部の検出に基づいて前記筐体の衝撃箇所を判定する判定部と、
前記筐体の衝撃箇所ごとに、前記検出部の検出に基づく衝撃判定値を加算して累積する衝撃履歴部とを備えることを特徴とする放射線画像撮影装置。
【請求項１０】
前記衝撃履歴部は、前記衝撃判定値が第二の閾値よりも大きい場合に加算して累積することを特徴とする請求項８又は９記載の放射線画像撮影装置。
【請求項１１】
いずれかの前記衝撃箇所について、前記衝撃履歴部によって加算累積された前記衝撃判定値の累積値が第三の閾値を超えた場合に報知処理を行う報知処理部を備えることを特徴とする請求項８から１０いずれか一項に記載の放射線画像撮影装置。
【請求項１２】
複数の放射線検出素子が二次元状に配列されたセンサーパネルと、前記センサーパネルが収納された筐体と、前記筐体に加わる三軸の加速度を検出する検出部とを備える放射線画像撮影装置と、
前記検出部が検出する各軸ごとの加速度の経時的な変化を積算する積算部と、
前記積算部による前記各軸ごとの加速度の積算値を正規化する正規化処理部と、
前記正規化処理部により前記各軸ごとの正規化された数値を第一の閾値により分類し、当該各軸ごとの分類結果から前記筐体の衝撃箇所を判定する判定部とを備えることを特徴とする放射線画像撮影システム。
【請求項１３】
前記積算部は、予め定められた一定期間分の加速度の経時的な変化を積算することを特徴とする請求項１２記載の放射線画像撮影システム。
【請求項１４】
前記正規化処理部により前記正規化された数値を分類するための前記第一の閾値は、前記各軸ごとに個別に定められていることを特徴とする請求項１２又は１３記載の放射線画像撮影システム。
【請求項１５】
前記第一の閾値を0.41以下とすることを特徴とする請求項１２から１４のいずれか一項に記載の放射線画像撮影システム。
【請求項１６】
前記第一の閾値を0.3以下とすることを特徴とする請求項１５記載の放射線画像撮影システム。
【請求項１７】
前記検出部が、放射線入射方向から見て前記筐体の中央部に配置されていることを特徴とする請求項１２から１６のいずれか一項に記載の放射線画像撮影システム。
【請求項１８】
前記検出部が、前記放射線画像撮影装置の重心位置に配置されていることを特徴とする請求項１２から１６のいずれか一項に記載の放射線画像撮影システム。
【請求項１９】
前記筐体の衝撃箇所ごとに、前記検出部の検出に基づく衝撃判定値を加算して累積する衝撃履歴部を備えることを特徴とする請求項１２から１８のいずれか一項に記載の放射線画像撮影システム。
【請求項２０】
複数の放射線検出素子が二次元状に配列されたセンサーパネルと、前記センサーパネルが収納された筐体と、前記筐体に加わる衝撃を検出する検出部とを備える放射線画像撮影装置と、
前記検出部の検出に基づいて前記筐体の衝撃箇所を判定する判定部と、
前記筐体の衝撃箇所ごとに、前記検出部の検出に基づく衝撃判定値を加算して累積する衝撃履歴部とを備えることを特徴とする放射線画像撮影システム。
【請求項２１】
前記衝撃履歴部は、前記衝撃判定値が第二の閾値よりも大きい場合に加算して累積することを特徴とする請求項１９又は２０記載の放射線画像撮影システム。
【請求項２２】
いずれかの前記衝撃箇所について、前記衝撃履歴部によって加算累積された前記衝撃判定値の累積値が第三の閾値を超えた場合に報知処理を行う報知処理部を備えることを特徴とする請求項１９から２１のいずれか一項に記載の放射線画像撮影システム。
【手続補正２】
【補正対象書類名】明細書
【補正対象項目名】０００７
【補正方法】変更
【補正の内容】
【０００７】
本発明は、放射線画像撮影装置において、
複数の放射線検出素子が二次元状に配列されたセンサーパネルと、
前記センサーパネルが収納された筐体と、
前記筐体に加わる三軸の加速度を検出する検出部と、
前記検出部が検出する各軸ごとの加速度の経時的な変化を積算する積算部と、
前記積算部による前記各軸ごとの加速度の積算値を正規化する正規化処理部と、
前記正規化処理部により前記各軸ごとの正規化された数値を第一の閾値により分類し、当該各軸ごとの分類結果から前記筐体の衝撃箇所を判定する判定部とを備えることを特徴とする。
【手続補正３】
【補正対象書類名】明細書
【補正対象項目名】０００８
【補正方法】変更
【補正の内容】
【０００８】
上記発明は、前記積算部は、予め定められた一定期間分の加速度の経時的な変化を積算する構成としても良い。
【手続補正４】
【補正対象書類名】明細書
【補正対象項目名】０００９
【補正方法】変更
【補正の内容】
【０００９】
上記発明は、前記正規化処理部により前記正規化された数値を分類するための前記第一の閾値は、前記各軸ごとに個別に定められている構成としても良い。
【手続補正５】
【補正対象書類名】明細書
【補正対象項目名】００１０
【補正方法】変更
【補正の内容】
【００１０】
上記発明は、前記第一の閾値を0.41以下とする構成としても良い。
【手続補正６】
【補正対象書類名】明細書
【補正対象項目名】００１１
【補正方法】変更
【補正の内容】
【００１１】
上記発明は、前記第一の閾値を0.3以下とする構成としても良い。
【手続補正７】
【補正対象書類名】明細書
【補正対象項目名】００１２
【補正方法】変更
【補正の内容】
【００１２】
上記発明は、前記検出部が、放射線入射方向から見て前記筐体の中央部に配置されている構成としても良い。
また、上記発明は、前記検出部が、前記放射線画像撮影装置の重心位置に配置されている構成としても良い。
【手続補正８】
【補正対象書類名】明細書
【補正対象項目名】００１３
【補正方法】変更
【補正の内容】
【００１３】
上記発明は、前記筐体の衝撃箇所ごとに、前記検出部の検出に基づく衝撃判定値を加算して累積する衝撃履歴部を備える構成としても良い。
【手続補正９】
【補正対象書類名】明細書
【補正対象項目名】００１４
【補正方法】変更
【補正の内容】
【００１４】
本発明は、放射線画像撮影装置において、
複数の放射線検出素子が二次元状に配列されたセンサーパネルと、
前記センサーパネルが収納された筐体と、
前記筐体に加わる衝撃を検出する検出部と、
前記検出部の検出に基づいて前記筐体の衝撃箇所を判定する判定部と、
前記筐体の衝撃箇所ごとに、前記検出部の検出に基づく衝撃判定値を加算して累積する衝撃履歴部とを備えることを特徴とする。
【手続補正１０】
【補正対象書類名】明細書
【補正対象項目名】００１５
【補正方法】変更
【補正の内容】
【００１５】
上記発明は、前記衝撃履歴部は、前記衝撃判定値が第二の閾値よりも大きい場合に加算して累積する構成としても良い。
【手続補正１１】
【補正対象書類名】明細書
【補正対象項目名】００１６
【補正方法】変更
【補正の内容】
【００１６】
上記発明は、いずれかの前記衝撃箇所について、前記衝撃履歴部によって加算累積された前記衝撃判定値の累積値が第三の閾値を超えた場合に報知処理を行う報知処理部を備える構成としても良い。
【手続補正１２】
【補正対象書類名】明細書
【補正対象項目名】００１７
【補正方法】変更
【補正の内容】
【００１７】
本発明は、複数の放射線検出素子が二次元状に配列されたセンサーパネルと、前記センサーパネルが収納された筐体と、前記筐体に加わる三軸の加速度を検出する検出部とを備える放射線画像撮影装置と、
前記検出部が検出する各軸ごとの加速度の経時的な変化を積算する積算部と、
前記積算部による前記各軸ごとの加速度の積算値を正規化する正規化処理部と、
前記正規化処理部により前記各軸ごとの正規化された数値を第一の閾値により分類し、当該各軸ごとの分類結果から前記筐体の衝撃箇所を判定する判定部とを備えることを特徴とする。
【手続補正１３】
【補正対象書類名】明細書
【補正対象項目名】００１８
【補正方法】変更
【補正の内容】
【００１８】
上記発明は、前記積算部は、予め定められた一定期間分の加速度の経時的な変化を積算する構成としても良い。
【手続補正１４】
【補正対象書類名】明細書
【補正対象項目名】００１９
【補正方法】変更
【補正の内容】
【００１９】
上記発明は、前記正規化処理部により前記正規化された数値を分類するための前記第一の閾値は、前記各軸ごとに個別に定められている構成としても良い。
【手続補正１５】
【補正対象書類名】明細書
【補正対象項目名】００２０
【補正方法】変更
【補正の内容】
【００２０】
上記発明は、前記第一の閾値を0.41以下とする構成としても良い。
【手続補正１６】
【補正対象書類名】明細書
【補正対象項目名】００２１
【補正方法】変更
【補正の内容】
【００２１】
上記発明は、前記第一の閾値を0.3以下とする構成としても良い。
【手続補正１７】
【補正対象書類名】明細書
【補正対象項目名】００２２
【補正方法】変更
【補正の内容】
【００２２】
上記発明は、前記検出部が、放射線入射方向から見て前記筐体の中央部に配置されている構成としても良い。
また、上記発明は、前記放射線画像撮影装置の重心位置に配置されている構成としても良い。
【手続補正１８】
【補正対象書類名】明細書
【補正対象項目名】００２３
【補正方法】変更
【補正の内容】
【００２３】
上記発明は、前記筐体の衝撃箇所ごとに、前記検出部の検出に基づく衝撃判定値を加算して累積する衝撃履歴部を備える構成としても良い。
【手続補正１９】
【補正対象書類名】明細書
【補正対象項目名】００２４
【補正方法】変更
【補正の内容】
【００２４】
本発明は、複数の放射線検出素子が二次元状に配列されたセンサーパネルと、前記センサーパネルが収納された筐体と、前記筐体に加わる衝撃を検出する検出部とを備える放射線画像撮影装置と、
前記検出部の検出に基づいて前記筐体の衝撃箇所を判定する判定部と、
前記筐体の衝撃箇所ごとに、前記検出部の検出に基づく衝撃判定値を加算して累積する衝撃履歴部とを備えることを特徴とする。
【手続補正２０】
【補正対象書類名】明細書
【補正対象項目名】００２５
【補正方法】変更
【補正の内容】
【００２５】
上記発明は、前記衝撃履歴部は、前記衝撃判定値が第二の閾値よりも大きい場合に加算して累積する構成としても良い。
【手続補正２１】
【補正対象書類名】明細書
【補正対象項目名】００２６
【補正方法】変更
【補正の内容】
【００２６】
上記発明は、いずれかの前記衝撃箇所について、前記衝撃履歴部によって加算累積された前記衝撃判定値の累積値が第三の閾値を超えた場合に報知処理を行う報知処理部を備える構成としても良い。